(57)【要約】【課題】蓋体を安定した状態で取り付けることがきるとともに、取り付け、取り外し操作が容易なトラップ装置を提供する。【解決手段】蓋体６を、その外周面が水受容器１の内面における互いに対向する１対の対向面に当接する形状とし、蓋体６の外周面と水受容器１の上記対向面とのいずれか一方に係止凸部１０、他方に、この係止凸部１０と係合することにより、蓋体６を、その上部壁６ａが排水管４の上端より所要高さだけ上方に位置するように浮かせた状態で保持するようにした係止凹部５を設け、さらに、蓋体６の外周面の少なくとも上部に、上下方向を向く１対の指掛け用の凹溝７を設ける。【選択図】  図３
2006291574.tif 000002
【特許請求の範囲】
【請求項１】
排水管の上端部を、上面が開口する水受容器の底部より上方に突出させ、この上端部に、内径が前記排水管の外径より大径で、かつ上端が上部壁により閉塞された円筒形の蓋体を被嵌させたトラップ装置において、
前記水受容器の内面における互いに対向する１対の対向面に、前記蓋体の外周面が内接するようにするとともに、前記対向面と蓋体の外周面とのいずれか一方に係止凸部を、かつ他方に、前記係止凸部と係合することにより、前記蓋体を、その上部壁が排水管の上端より所要高さだけ上方に位置するように浮かせた状態で保持するようにした係止凹部を設け、さらに、前記蓋体の外周面の少なくとも上部に、上下方向を向く１対の指掛け用の凹溝を設けたことを特徴とするトラップ装置。
【請求項２】
蓋体における１対の凹溝の裏面に、排水管の上端部の外周面が内接するようにしたことを特徴とする請求項１記載のトラップ装置。
【請求項３】
１対の凹溝を、蓋体の外周面の上下方向の全長に亘って設けたことを特徴とする請求項１または２記載のトラップ装置。
【請求項４】
蓋体に係止凸部を、水受容器に、前記蓋体と同心円をなす円弧状溝とした係止凹部をそれぞれ設けたことを特徴とする請求項１〜３のいずれかに記載のトラップ装置。
【請求項５】
円弧状溝とした係止凹部の一端が、水受容器の内側壁の最も深い所で終端し、その終端部に、係止凸部に当接して係止凸部の一方向の回転を阻止するストッパ面を設けたことを特徴とする請求項４記載のトラップ装置。
【請求項６】
蓋体における上部壁の上面に、上向きのリブを突設したことを特徴とする請求項１〜５のいずれかに記載のトラップ装置。
【請求項７】
水受容器内における蓋体上に、多数の通水孔を有する受皿を載置して、支持することにより、水受容器における受皿より上方の部分を、シンクとして使用しうるようにしたことを特徴とする請求項１〜６のいずれかに記載のトラップ装置。
【発明の詳細な説明】
【技術分野】
【０００１】
本発明は、ドラフトチャンバにおける作業台や、台所の流し台のシンク等に取り付けて使用されるトラップ装置に関する。
【背景技術】
【０００２】
流し台やドラフトチャンバ等に設けられたシンクの排水口には、排水管からの悪臭の逆流と、排水管内への異物の混入を防止するため、排水用のトラップ装置が設けられている。この種のトラップ装置は、排水管をＳ字状に曲げることにより構成したものが一般的である。しかし、この構成のトラップ装置は、排水管に残留した異物を取り出すには、排水管を分解する必要があり、手間がかかるとともに、異物がトラップ装置内にあるか否かを目視で確認することが困難である。
【０００３】
これに対し、排水管の上端部を、シンクの排水部の底部から上方に突出させ、この上端部に伏椀状の蓋体を被せた構造のものがある (例えば、特許文献１参照)。
【特許文献１】特開２００４−３２４１０８号公報
【発明の開示】
【発明が解決しようとする課題】
【０００４】
しかし、特許文献１に記載されているようなトラップ装置では、蓋体をシンク排水部の内周部に形成した段部に載置しているだけであるので、蓋体の支持が不安定で、下からの水圧や風圧で浮き上がることがあり、また蓋体が排水部の内周の全周にわたって密接しているため、蓋体の装着操作、あるいは詰まったごみの除去等の際の取り出し操作が困難である。
【０００５】
本発明は、従来の技術が有する上記のような問題点に鑑み、蓋体を安定した状態で取り付けることがきるとともに、取り付け、取り外し操作が容易なトラップ装置を提供することを目的としている。
【課題を解決するための手段】
【０００６】
本発明によると、上記課題は、次のようにして解決される。
(１)排水管の上端部を、上面が開口する水受容器の底部より上方に突出させ、この上端部に、内径が前記排水管の外径より大径で、かつ上端が上部壁により閉塞された円筒形の蓋体を被嵌させたトラップ装置において、前記水受容器の内面における互いに対向する１対の対向面に、前記蓋体の外周面が内接するようにするとともに、前記対向面と蓋体の外周面とのいずれか一方に係止凸部を、かつ他方に、前記係止凸部と係合することにより、前記蓋体を、その上部壁が排水管の上端より所要高さだけ上方に位置するように浮かせた状態で保持するようにした係止凹部を設け、さらに、前記蓋体の外周面の少なくとも上部に、上下方向を向く１対の指掛け用の凹溝を設ける。
【０００７】
(２)上記(１)項において、蓋体における１対の凹溝の裏面に、排水管の上端部の外周面が内接するようにする。
【０００８】
(３)上記(１)または(２)項において、１対の凹溝を、蓋体の外周面の上下方向の全長に亘って設ける。
【０００９】
(４)上記(１)〜(３)項のいずれかにおいて、蓋体に係止凸部を、水受容器に、前記蓋体と同心円をなす円弧状溝とした係止凹部をそれぞれ設ける。
【００１０】
(５)上記(４)項において、円弧状溝とした係止凹部の一端が、水受容器の内側壁の最も深い所で終端し、その終端部に、係止凸部に当接して係止凸部の一方向の回転を阻止するストッパ面を設ける。
【００１１】
(６)上記(１)〜(５)項のいずれかにおいて、蓋体における上部壁の上面に、上向きのリブを突設する。
【００１２】
(７)上記(１)〜(６)項のいずれかにおいて、水受容器内における蓋体上に、多数の通水孔を有する受皿を載置して、支持することにより、水受容器における受皿より上方の部分を、シンクとして使用しうるようにする。
【発明の効果】
【００１３】
本発明によると、次のような効果を奏することができる。
(ａ)請求項１記載の発明によると、係止凸部と係止凹部との係合により、蓋体を水受容器内の所要高さに保持しているので、蓋体を水受容器に安定して保持することができ、排水管側の水圧や風圧で蓋体が浮き上がったりすることがなく、また蓋体上に受皿等を載置した場合でも、受皿を安定して保持することができる。また、蓋体の外周面に１対の上下方向の凹溝を設けてあるので、この凹溝に指を掛けて、簡単に蓋体の取り付けおよび取り外しができる。
【００１４】
(ｂ)請求項２記載の発明によると、  蓋体の凹溝の裏面で排水管の上端部を挟持するので、蓋体は排水管上端部に対しても確実に位置決めされるとともに、安定して保持される。
【００１５】
(ｃ)請求項３記載の発明によると、１対の凹溝を、蓋体の外周面の上下方向の全長に亘って設けてあるので、この凹溝が、水受容器内を下方に向かって流れる流路の一部を形成することができ、水受容器の下部の水平断面積を小としても、蓋体の下端に向かう円滑な流路を確保することができる。
【００１６】
(ｄ)請求項４記載の発明によると、係止凹部を、蓋体と同心円をなす円弧状溝としてあるので、蓋体を、左右どちらの向きに回動させても、係止凸部を係止凹部に係脱させることができ、操作性がよい。
【００１７】
(ｅ)請求項５記載の発明によると、係止凸部を、円弧状の係止凹部に嵌合して、ストッパ面に当接させることにより、係止凸部を係止凹部の最も深い位置に係合させることができるとともに、係合させるときと離脱させるときとの蓋体の回転方向を互いに異ならせることができ、操作に迷いを生じさせることがない。
【００１８】
(ｆ)請求項６記載の発明によると、蓋体における上部壁の上面に、上向きのリブを突設してあるので、蓋体の上部壁が補強されるだけでなく、このリブをつまんで、蓋体を回転させたり、持ち上げたりすることができるとともに、蓋体上に受皿を載置する場合には、リブが受皿の受け桟となり、受皿を安定して、かつ通水孔が蓋体の上部壁により閉塞されることがないようにして、支持することができる。
【００１９】
(ｇ)請求項７記載の発明によると、水受容器内における蓋体上に、多数の通水孔を有する受皿を載置して、支持することにより、水受容器における受皿より上方の部分を、簡易型のシンクとして使用することができので、例えばドラフトチャンバ等における作業台の一部に装着して、トラップ付の簡易型のシンクを簡単に形成することができる。
【発明を実施するための最良の形態】
【００２０】
以下、本発明の一実施形態を図面を参照して説明する。
図１は、本発明の一実施形態の分解斜視図、図２は、同じく完成時の平面図、図３は、図２のIII−III線断面図、図４は、図２のIV−IV線断面図である。
【００２１】
このトラップ装置は、上端に平面視長方形の開口部(1a)を有する水受容器(１)を備え、この水受容器(１)は、前後１対の長辺側の側壁(２)(２)と、左右１対の短辺側の側壁(３)(３)とにより囲まれ、この左右の側壁(３)(３)の下部は、下方に向かって内側に傾斜する傾斜面(3a)(3a)とされている。
【００２２】
水受容器(１)の上端の開口部(1a)には、外向きフランジ(1b)が形成されており、また水受容器(１)の底壁(1c)の中央には、上下方向を向く排水管(４)の上端部が、上方に向かって突出するようにして貫挿されている。
水受容器(１)の両側壁(２)(２)の内面中央には、上下に離隔した２個の係止凹部(５)(５)が、それぞれ設けられている。
【００２３】
蓋体(６)は、内径が排水管(４)の外径より大径で、外径が水受容器(１)の前後の側壁(２)(２)の内面間の寸法とほぼ等しく(図２参照)、かつ上端が水平の上部壁(6a)により閉塞された円筒状のもので、外周面における円周方向に互いに１８０°離間した部分には、上下方向を向く１対の円弧状の凹溝(７)(７)が設けられている。
【００２４】
上部壁(6a)の上面および下面には、その直径方向を向く４枚のリブ(８)(９)が、平面視ほぼ十字状をなすようにして、それぞれ上向きおよび下向きに突設されている。
【００２５】
蓋体(６)の外周面における凹溝(７)(７)に対して円周方向に９０°離間した部分には、水受容器(１)の係止凹部(５)(５)に対応する係止凸部(10)(10)が、それぞれ設けられている。なお、係止凹部(５)(５)を蓋体(６)の外周面に、係止凸部(10)を水受容器(１)の内面に設けてもよい。
【００２６】
上記のように、蓋体(６)の外径は、水受容器(１)の前後の側壁(２)(２)の内面間の寸法とほぼ等しくしてあるので、蓋体(６)は、凹溝(７)(７)が存在する部分を除いて、水受容器(１)の前後の側壁(２)(２)の内面間に当接する。
【００２７】
また、蓋体(６)における凹溝(７)(７)の裏面間の寸法は、排水管(４)の上端部(4a)の外径とほぼ等しくしてあるので、蓋体(６)における凹溝(７)(７)の裏面は、排水管(４)の上端部(4a)の外周面に当接する。
【００２８】
蓋体(６)を取り付けるには、蓋体(６)の凹溝(７)(７)に指をかけて、蓋体(６)を把持し、蓋体(６)を、凹溝(７)(７)の裏側を排水管(４)の上端部(4a)の外周面に摺接させつつ、リブ(９)の下端が排水管(４)の上端に当接するまで、排水管(４)の上端部(4a)に外嵌させる。このとき、蓋体(６)における凹溝(７)(７)の向きは任意でよい。
【００２９】
次いで、リブ(９)の下端が排水管(４)の上端に当接したままの状態で、蓋体(６)を回動させて、係止凸部(10)を係止凹部(５)に係合させる（図４参照）。これにより、蓋体(６)は水受容器(１)に係止され、図３に示すように、蓋体(６)は、上部壁(6a)が下方のリブ(９)の高さ分だけ、排水管(４)の上端より上方に位置した状態で、かつ蓋体(６)の下端と、水受容器(１)の底壁(1c)および側壁(３)(３)との間に空間(11)が形成された状態で保持される(図３参照)。
【００３０】
蓋体(６)のリブ(８)上には、多数の通水孔(12a)が形成された受皿(12)が載置され、水平に支持されている。
この受皿(12)より上方の水受容器(１)の内部を、簡易型のシンクとして使用することができる。
【００３１】
水受容器(１)内に流れ込んだ排水は、蓋体(６)の下部からその内側を上昇し、排水管(４)の上端より、排水管(４)の内部に流れ、排水管(４)を通って流出する。水受容器(１)の底部には、排水管(４)の上端と同じ高さの封水(Ｗ)が常に貯められ、排水管(４)から出る臭気が水受容器(１)内へ逆流するのが阻止される。
【００３２】
以上のように、蓋体(６)は、水受容器(１)の２辺の側壁(２)(２)に密接した状態で、係止凸部(10)と係止凹部(５)との係合により固定されるので、上下方向にみだりに動くことなく安定的に保持される。また、蓋体(６)を取り付ける際は、凹溝(７)に指をかけて水受容器(１)内に挿入し、回動させて、係止凸部(10)を係止凹部(５)に係合させることにより、また、蓋体(６)を取り外す際は、凹溝(７)に指をかけて、少し回動させ、係止凸部(10)と係止凹部(５)の係合を離脱して引き上げることにより、簡単に取り付け取り外しを行うことができる。
【００３３】
図５は、係止凹部の変形例を示している。
この例では、水受容器(１)における２辺の側壁(２)(２)の内面に、蓋体(６)と同心円をなす平面視円弧状の溝とした係止凹部(５)(５)をそれぞれ設けてある。
係止凹部(５)をこのような形状とすると、蓋体(６)を、左右どちらの向きに回動させても、係止凸部(10)を係止凹部(５)に係脱させることができ、操作性がよい。
【００３４】
図６は、係止凹部の別の変形例を示している。
この例では、図５のものと同様に、蓋体(６)と同心円をなす平面視円弧状の溝とした係止凹部(５)を、水受容器(１)における２辺の側壁(２)(２)の内面から徐々に深くなるように抉り、最も深くなった所で終端し、その終端部に、係止凸部(10)に当接して、係止凸部(10)の一方向の回転を阻止するようにしたストッパ面(13)を設けたものとしてある。
【００３５】
係止凹部(５)をこのような形状とすると、係止凸部(10)を、スムーズに円弧状の係止凹部(５)に嵌合させることができるとともに、ストッパ面(13)に当接させることにより、係止凸部(10)を係止凹部(５)の最も深い位置に係合させることができ、また係合させるときと離脱させるときとの蓋体(６)の回転方向を互いに異ならせることができ、操作に迷いを生じさせることがない。
【００３６】
上記のようなトラップ装置の実施形態を、ドラフトチャンバに適用する場合は、水受容器(１)を、作業台に設けた開口の下方に設置すれば、そのまま、簡易型のカップシンクとして使用することができる。
また、上記のようなトラップ装置の実施形態を、台所の流し台のシンクに設けた排水口の下方に取り付けて使用することもできる。
【図面の簡単な説明】
【００３７】
【図１】本発明のトラップ装置の一実施形態の分解斜視図である。
【図２】同じく、完成時の平面図である。
【図３】図２のIII−III線断面図である。
【図４】図２のIV−IV線断面図である。
【図５】係合部の変形例を示す横断平面面図である。
【図６】係合部の別の変形例を示す横断平面面図である。
【符号の説明】
【００３８】
(１)水受容器
(1a)開口部
(1b)外向きフランジ
(1c)底壁
(２)(３)側壁
(3a)傾斜面
(４)排水管
(4a)上端部
(５)係止凹部
(６)蓋体
(6a)上部壁
(７)凹溝
(８)(９)リブ
(10)係止凸部
(11)空間
(12)受皿
(12a)通水孔
(13)ストッパ面
【図１】
2006291574.tif 000003
【図２】
2006291574.tif 000004
【図３】
2006291574.tif 000005
【図４】
2006291574.tif 000006
【図５】
2006291574.tif 000007
【図６】
2006291574.tif 000008